(57)【要約】  【課題】  冬期には、自動製氷器１０を外して、製氷室の貯氷容器内に冷凍食品を保存する人がいる。ところが、貯氷容器１３の後壁には大きな切欠１３ａがあり、且つ、使用者からは見づらい位置となってしまう、このため、冷凍食品がここから落ちそうにっても使用者はそれを知らず、また落ちてしまっても使用者が気づかないおそれがあった。  【解決手段】  本発明は、製氷室(2)の上部に配置された自動製氷器(10)と、この自動製氷器(10)で生成した氷を貯める引出し型の貯氷容器(20)と、引出し時に前記貯氷容器(20)の後壁が前記自動製氷器(10)に当接しないようにこの後壁に設けられた切欠部(20a)とを備える冷蔵庫において、前記自動製氷器(10)は前記製氷室(2)から取り外し可能であり、前記貯氷容器(20)は前後逆に取り付け可能であることを特徴とする。【選択図】  図４
2005273979.tif 000002
【特許請求の範囲】
【請求項１】
製氷室(2)の上部に配置された自動製氷器(10)と、この自動製氷器(10)で生成した氷を貯める引出し型の貯氷容器(20)と、引出し時に前記貯氷容器(20)の後壁が前記自動製氷器(10)に当接しないようにこの後壁に設けられた切欠部(20a)とを備える冷蔵庫において、
前記自動製氷器(10)は前記製氷室(2)から取り外し可能であり、前記貯氷容器(20)は前後逆に取り付け可能であることを特徴とする冷蔵庫。
【発明の詳細な説明】
【技術分野】
【０００１】
本発明は、自動製氷機能を備える家庭用冷凍冷蔵庫等の冷蔵庫に関する。
【背景技術】
【０００２】
冷蔵庫の自動製氷機能については、従来よりよく知られている（特許文献１、２参照）。
【０００３】
図１は、冷蔵庫の部分縦断面図であり、給水タンクと自動製氷器周辺である。図１において、１は冷蔵室である。２は製氷室である。３は冷凍室である。４は冷蔵室の回転扉である。５は製氷室の引出扉である。７は着脱可能な給水タンクである。８は給水ポンプである。９は給水パイプである。
【０００４】
１０は自動製氷器である。この自動製氷器は１０は、製氷室２の内部の上部取り付けられている。この自動製氷器は１０は、製氷皿１１とこの製氷皿１１を回転駆動するモータ１２とを備える。１３は貯氷容器である。１３ａは貯氷容器１３の後壁に設けた切欠である。この切り欠き１３ａを設けることにより、自動製氷器１０に当たることなく、貯氷容器１３を前に引き出せる。
【０００５】
１４は冷蔵庫の内壁に設けた固定側レールである。１５は移動側レールであり、金属フレームからなる。この移動側レール１５は、引出扉５に固定され、貯氷容器１３を保持する。
【０００６】
給水ポンプ８を駆動させることで製氷皿１０に適量の水が注水される。製氷皿１１で製氷された氷は、モータ１２により製氷皿１１が捩られることにより、貯氷容器１３内に脱落する。
【０００７】
氷を使用する場合は、引出扉５を引き出せば、貯氷容器１３も前に引き出される。
【特許文献１】特開平７−７７３７１号公報
【特許文献２】特開２００３−２７９２１３号公報
【発明の開示】
【発明が解決しようとする課題】
【０００８】
ところで、使用者の中には、冬期には自動製氷機能を使用せずに、製氷室の貯氷容器内に冷凍食品を保存する人もいる。
【０００９】
この製氷室の貯蔵容量をあげるために、ねじ回しを使って自動製氷器１０を外したり、前述の特許文献２の如く、自動製氷器部分がワンタッチで着脱自在な冷蔵庫が考えられる。
【００１０】
このようにすれば、貯氷容器１３に多くの冷凍食品を収納することが可能となる。
【００１１】
ところが、前述したように、貯氷容器１３の後壁には大きな切欠１３ａがあり、且つ、使用者からは見づらい位置となってしまう、このため、冷凍食品がここから落ちそうにっても使用者はそれを知らず、また落ちてしまっても使用者が気づかないおそれがあった。
【００１２】
本発明は、これを防止した冷蔵庫を提供することを目的とする。
【課題を解決するための手段】
【００１３】
本発明は、製氷室(2)の上部に配置された自動製氷器(10)と、この自動製氷器(10)で生成した氷を貯める引出し型の貯氷容器(20)と、引出し時に前記貯氷容器(20)の後壁が前記自動製氷器(10)に当接しないようにこの後壁に設けられた切欠部(20a)とを備える冷蔵庫において、前記自動製氷器(10)は前記製氷室(2)から取り外し可能であり、前記貯氷容器(20)は前後逆に取り付け可能であることを特徴とする。
【発明の効果】
【００１４】
本発明によれば、自動製氷器１０を外して製氷室２を通常の冷凍室として利用する場合に、貯氷容器の奥から冷凍食品が知らない間に落ちてしまうことを防止できる。
【発明を実施するための最良の形態】
【００１５】
本発明は、製氷室(2)の上部に配置された自動製氷器(10)と、この自動製氷器(10)で生成した氷を貯める引出し型の貯氷容器(20)と、引出し時に前記貯氷容器(20)の後壁が前記自動製氷器(10)に当接しないようにこの後壁に設けられた切欠部(20a)とを備える冷蔵庫において、前記自動製氷器(10)は前記製氷室(2)から取り外し可能であり、前記貯氷容器(20)は前後逆に取り付け可能として、自動製氷器１０を外して冷凍室として利用する場合に、貯氷容器２０を前後反対にセットして、この製氷室の奥側に冷凍食品が知らない間に落ちてしまうことを防止する。
【実施例１】
【００１６】
実施例１を図２〜図４を参照しながら説明する。なお、図２〜図４において、図１と同一部分には同一符号を付して説明を省略する。
【００１７】
図２は、本発明の実施例１における部分断面図である。２０は貯氷容器である。２０ａは貯氷容器２０の後壁に設けた切欠である。この切り欠き２０ａを設けることにより、製氷室２の内部の上部に取り付けられた自動製氷器１０に当たることなく、貯氷容器２０を前に引き出せる。この貯氷容器２０は、移動側レール１５に保持されており、また、前後逆に取り付けることも可能であり、この前後逆に取り付けた状態で自動製氷器１０が取り外されていれば支障なく引出し扉５が引き出されるように設計している。
【００１８】
図３は、自動製氷器１０を使わない場合であり、給水タンク７は取り外され、自動製氷器１０も外されている。図４は、貯氷容器２０を前後逆に取り付けた状態の部分断面図である。
【００１９】
このように、この冷蔵庫では、自動製氷機能を使用しない場合には、まず、引出扉５を冷蔵庫から取り外す。この引出扉５と移動側レール１５と貯氷容器２０とは一体物として取り外される。つまり、移動側レール１５および貯氷容器２０も引出扉５とともに外される。
【００２０】
次に、自動製氷器を取り外す。そして、貯氷容器２０を前後逆にして移動側１５レールに取り付け、この引出扉５、移動側レール１５、貯氷容器２０の一体物を、再度、製氷室２に引出し可能に取り付ける。
【００２１】
このとき、切欠２０ａの位置も逆さとなるが、自動製氷器１０が取り外されているので、問題なく引出し自在となっている。
【００２２】
このようにして、製氷室２の貯氷容器２０内に冷凍食品を保存する。
【００２３】
以上本発明の実施例１について説明したが、上述の説明に基づいて当業者にとって種々の代替例、修正又は変形が可能であり、本発明はその趣旨を逸脱しない範囲で前述の種々の代替例、修正又は変形を包含するものである。
【産業上の利用可能性】
【００２４】
本発明は冷蔵庫などの冷却器の霜取り用の熱源として利用されるガラス管ヒータおよびそのガラス管ヒータを使用した冷蔵庫に関するものである。特に可燃性冷媒を用いた冷蔵庫に適している。
【図面の簡単な説明】
【００２５】
【図１】従来の自動製氷機能が搭載された冷蔵庫の部分縦断面図である。
【図２】本発明の実施例１の要部断面図である。
【図３】この実施例１の要部断面図である。
【図４】この実施例１の要部断面図である。
【符号の説明】
【００２６】
２  製氷室
５  引出扉
１０  自動製氷器
１１  製氷皿
１２  モータ
２０  貯氷容器
２０ａ  切欠部
【図１】
2005273979.tif 000003
【図２】
2005273979.tif 000004
【図３】
2005273979.tif 000005
【図４】
2005273979.tif 000006